(57)【要約】【課題】消費電力を低減することができる無線通信装置を提供する。【解決手段】スイッチＳＷ７，ＳＷ８と、データ処理部１６および音声処理部２８との間には、スイッチＳＷ１〜ＳＷ６、ＬＮＡ１８，３０、分配器２０，３２が設けられる。データ処理部１６は、スイッチＳＷ２の第３の端子およびスイッチＳＷ６の第３の端子と接続される。音声処理部２８は、スイッチＳＷ３の第３の端子およびスイッチＳＷ５の第３の端子と接続される。制御部は、スイッチＳＷ１〜ＳＷ８の各々の端子間の接続、およびＬＮＡ１８およびＬＮＡ３０の電源のオン／オフを制御する。【選択図】図２
2013074521.tif 000002
【特許請求の範囲】
【請求項１】
データおよび／または音声が含まれる無線信号を受信する第１のアンテナと、
少なくとも第１〜第３の端子を有し、前記第１の端子が前記第１のアンテナと接続される第１のスイッチと、
データおよび／または音声が含まれる無線信号を受信する第２のアンテナと、
少なくとも第４〜第６の端子を有し、前記第４の端子が前記第２のアンテナと接続される第２のスイッチと、
第７〜第９の端子を有し、前記第９の端子が前記第１のスイッチの第２の端子と接続される第３のスイッチと、
前記第１のスイッチの第３の端子と接続される第１のローノイズアンプと、
前記第１のローノイズアンプと接続され、前記第１のローノイズアンプから出力された信号を第１０の端子および第１１の端子から出力する第１の分配器と、
第１２〜第１４の端子とを有し、前記第１２の端子が前記第３のスイッチの第７の端子と接続され、前記第１３の端子が前記第１の分配器の第１０の端子と接続される第４のスイッチと、
第１５〜第１７の端子を有し、前記第１５の端子が前記第３のスイッチの第８の端子と接続され、前記第１６の端子が前記第１の分配器の第１１の端子と接続される第５のスイッチと、
第１８〜第２０の端子を有し、前記第２０の端子が前記第２のスイッチの第５の端子と接続される第６のスイッチと、
前記第２のスイッチの第６の端子と接続される第２のローノイズアンプと、
前記第２のローノイズアンプと接続され、前記第２のローノイズアンプから出力された信号を第２１の端子および第２２の端子から出力する第２の分配器と、
第２３〜第２５の端子とを有し、前記第２３の端子が前記第６のスイッチの第１８の端子と接続され、前記第２４の端子が前記第２の分配器の第２１の端子と接続される第７のスイッチと、
第２６〜第２８の端子を有し、前記第２６の端子が前記第６のスイッチの第１９の端子と接続され、前記第２７の端子が前記第２の分配器の第２２の端子と接続される第８のスイッチと、
前記第４のスイッチの第１４の端子および前記第８のスイッチの第２８の端子と接続されるデータ処理部と、
前記第５のスイッチの第１７の端子および第７のスイッチの第２５の端子と接続される音声処理部と、
前記第１〜第８のスイッチの各々の端子間の接続、および前記第１のローノイズアンプおよび前記第２のローノイズアンプの電源のオン／オフを制御する制御部とを備えた、無線通信装置。
【請求項２】
前記制御部は、第１の受信モードにおいて、
前記第１のスイッチの第１の端子と第２の端子とを接続し、
前記第３のスイッチの第７の端子と第９の端子とを接続し、
前記第４のスイッチの第１２の端子と第１４の端子とを接続し、
前記第２のスイッチの第４の端子と第５の端子とを接続し、
前記第６のスイッチの第１８の端子と第２０の端子とを接続し、
前記第７のスイッチの第２３の端子と第２５の端子とを接続し、
前記制御部は、前記第１のローノイズアンプおよび前記第２のローノイズアンプの電源をオフにし、
前記データ処理部は、前記第４のスイッチの第１４の端子から出力される信号に含まれるデータを抽出し、
前記音声処理部は、前記第７のスイッチの第２５の端子から出力される信号に含まれる音声を抽出する、請求項１記載の無線通信装置。
【請求項３】
前記制御部は、第２の受信モードにおいて、
前記第１のスイッチの第１の端子と第２の端子とを接続し、
前記第３のスイッチの第８の端子と第９の端子とを接続し、
前記第５のスイッチの第１５の端子と第１７の端子とを接続し、
前記第２のスイッチの第４の端子と第５の端子とを接続し、
前記第６のスイッチの第１８の端子と第２０の端子とを接続し、
前記第８のスイッチの第２６の端子と第２８の端子とを接続し、
前記制御部は、前記第１のローノイズアンプおよび前記第２のローノイズアンプの電源をオフにし、
前記データ処理部は、前記第８のスイッチの第２８の端子から出力される信号に含まれるデータを抽出し、
前記音声処理部は、前記第５のスイッチの第１７の端子から出力される信号に含まれる音声を抽出する、請求項１記載の無線通信装置。
【請求項４】
前記制御部は、第３の受信モードにおいて、
前記第１のスイッチの第１の端子と第２の端子とを接続し、
前記第３のスイッチの第７の端子と第９の端子とを接続し、
前記第４のスイッチの第１２の端子と第１４の端子とを接続し、
前記第２のスイッチの第４の端子と第５の端子とを接続し、
前記第６のスイッチの第１９の端子と第２０の端子とを接続し、
前記第８のスイッチの第２６の端子と第２８の端子とを接続し、
前記制御部は、前記第１のローノイズアンプおよび前記第２のローノイズアンプの電源をオフにし、
前記データ処理部は、前記第４のスイッチの第１４の端子から出力される信号と前記第８のスイッチの第２８の端子から出力される信号をＭＩＭＯ受信処理して、前記ＭＩＭＯ受信処理して得られた信号からデータを抽出する、請求項１記載の無線通信装置。
【請求項５】
前記制御部は、第４の受信モードにおいて、
前記第１のスイッチの第１の端子と第２の端子とを接続し、
前記第３のスイッチの第８の端子と第９の端子とを接続し、
前記第５のスイッチの第１５の端子と第１７の端子とを接続し、
前記第２のスイッチの第４の端子と第５の端子とを接続し、
前記第６のスイッチの第１８の端子と第２０の端子とを接続し、
前記第７のスイッチの第２３の端子と第２５の端子とを接続し、
前記制御部は、前記第１のローノイズアンプおよび前記第２のローノイズアンプの電源をオフにし、
前記音声処理部は、前記第５のスイッチの第１７の端子から出力される信号と前記第７のスイッチの第２５の端子から出力される信号をＭＩＭＯ受信処理して、前記ＭＩＭＯ受信処理して得られた信号から音声を抽出する、請求項１記載の無線通信装置。
【請求項６】
前記制御部は、第５の受信モードにおいて、
前記第１のスイッチの第１の端子と第２の端子とを接続し、
前記第３のスイッチの第７の端子と第９の端子とを接続し、
前記第４のスイッチの第１２の端子と第１４の端子とを接続し、
前記第２のスイッチの第４の端子と第６の端子とを接続し、
前記第７のスイッチの第２４の端子と第２５の端子とを接続し、
前記第８のスイッチの第２７の端子と第２８の端子とを接続し、
前記制御部は、前記第１のローノイズアンプの電源をオフにし、かつ前記第２のローノイズアンプの電源をオンにし、
前記音声処理部は、前記第７のスイッチの第２５の端子から出力される信号に含まれる音声を抽出し、
前記データ処理部は、前記第４のスイッチの第１４の端子から出力される信号と前記第８のスイッチの第２８の端子から出力される信号をＭＩＭＯ受信処理して、前記ＭＩＭＯ受信処理して得られた信号からデータを抽出する、請求項２〜５のいずれか１項に記載の無線通信装置。
【請求項７】
前記制御部は、第６の受信モードにおいて、
前記第１のスイッチの第１の端子と第３の端子とを接続し、
前記第４のスイッチの第１３の端子と第１４の端子とを接続し、
前記第５のスイッチの第１６の端子と第１７の端子とを接続し、
前記第２のスイッチの第４の端子と第５の端子とを接続し、
前記第６のスイッチの第１８の端子と第２０の端子とを接続し、
前記第７のスイッチの第２３の端子と第２５の端子とを接続し、
前記制御部は、前記第１のローノイズアンプの電源をオンにし、かつ前記第２のローノイズアンプの電源をオフにし、
前記データ処理部は、前記第４のスイッチの第１４の端子から出力される信号に含まれるデータを抽出し、
前記音声処理部は、前記第５のスイッチの第１７の端子から出力される信号と前記第７のスイッチの第２５の端子から出力される信号をＭＩＭＯ受信処理して、前記ＭＩＭＯ受信処理して得られた信号から音声を抽出する、請求項２〜５のいずれか１項に記載の無線通信装置。
【請求項８】
前記制御部は、第７の受信モードにおいて、
前記第１のスイッチの第１の端子と第３の端子とを接続し、
前記第４のスイッチの第１３の端子と第１４の端子とを接続し、
前記第５のスイッチの第１６の端子と第１７の端子とを接続し、
前記第２のスイッチの第４の端子と第６の端子とを接続し、
前記第７のスイッチの第２４の端子と第２５の端子とを接続し、
前記第８のスイッチの第２７の端子と第２８の端子とを接続し、
前記制御部は、前記第１のローノイズアンプの電源をオフにし、かつ前記第２のローノイズアンプの電源をオフにし、
前記データ処理部は、前記第４のスイッチの第１４の端子から出力される信号と前記第８のスイッチの第２８の端子から出力される信号をＭＩＭＯ受信処理して、前記ＭＩＭＯ受信処理して得られた信号からデータを抽出し、
前記音声処理部は、前記第５のスイッチの第１７の端子から出力される信号と前記第７のスイッチの第２５の端子から出力される信号をＭＩＭＯ受信処理して、前記ＭＩＭＯ受信処理して得られた信号から音声を抽出する、請求項２〜５のいずれか１項に記載の無線通信装置。
【請求項９】
前記制御部は、電池残量が所定値以下となった場合には、前記第５の受信モード以外の受信モードで受信、前記第６の受信モード以外の受信モードで受信、または前記第７の受信モード以外の受信モードで受信する、請求項６〜８のいずれか１項に記載の無線通信装置。
【請求項１０】
前記無線通信装置は、さらに
前記データ処理部から出力されるデータを含む信号を増幅する第１のアンプと、
前記音声処理部から出力される音声を含む信号を増幅する第２のアンプとを備え、
前記第１のスイッチは、さらに第２９の端子を有し、
前記第２のスイッチは、さらに第３０の端子を有し、
前記制御部は、送信モードにおいて、
前記第１のスイッチの第１の端子と第２９の端子とを接続し、
前記第２のスイッチの第４の端子と第３０の端子とを接続する、請求項１記載の無線通信装置。
【請求項１１】
データおよび／または音声が含まれる無線信号を受信する第１のアンテナと、
少なくとも第１〜第４の端子を有し、前記第１の端子が前記第１のアンテナと接続される第１のスイッチと、
データおよび／または音声が含まれる無線信号を受信する第２のアンテナと、
少なくとも第５〜第８の端子を有し、前記第５の端子が前記第２のアンテナと接続される第２のスイッチと、
前記第１のスイッチの第２の端子と接続される第１のローノイズアンプと、
前記第１のローノイズアンプと接続され、前記第１のローノイズアンプから出力された信号を第９の端子および第１０の端子から出力する第１の分配器と、
第１１〜第１３の端子を有し、前記第１１の端子が前記第１のスイッチの第３の端子と接続され、前記第１２の端子が前記第１の分配器の第９の端子と接続される第３のスイッチと、
第１４〜第１６の端子を有し、前記第１４の端子が前記第１のスイッチの第４の端子と接続され、前記第１５の端子が前記第１の分配器の第１０の端子と接続される第４のスイッチと、
前記第２のスイッチの第６の端子と接続される第２のローノイズアンプと、
前記第２のローノイズアンプと接続され、前記第２のローノイズアンプから出力された信号を第１７の端子および第１８の端子から出力する第２の分配器と、
第１９〜第２１の端子を有し、前記第１９の端子が前記第２のスイッチの第７の端子と接続され、前記第２０の端子が前記第２の分配器の第１７の端子と接続される第５のスイッチと、
第２２〜第２４の端子を有し、前記第２２の端子が前記第２のスイッチの第８の端子と接続され、前記第２３の端子が前記第２の分配器の第１８の端子と接続される第６のスイッチと、
前記第３のスイッチの第１３の端子および前記第６のスイッチの第２４の端子と接続されるデータ処理部と、
前記第４のスイッチの第１６の端子および第５のスイッチの第２１の端子と接続される音声処理部と、
前記第１〜第６のスイッチの各々の端子間の接続、および前記第１のローノイズアンプおよび前記第２のローノイズアンプの電源のオン／オフを制御する制御部とを備えた、無線通信装置。
【発明の詳細な説明】
【技術分野】
【０００１】
本発明は、無線通信装置に関する。
【背景技術】
【０００２】
従来から、複数の通信方式に対応した無線通信装置が知られている（たとえば、特許文献１を参照）。
【０００３】
このような複数の通信方式に対応した無線通信装置では、分配器もしくは分波器が設けられる。
【０００４】
図１２は、従来の無線通信装置の構成を表わす図である。
アンテナ１２で受信した信号は、スイッチ５０の端子ＢからＬＮＡ（Low Noise Amplifier）５４に送られ、ＬＮＡ５４で増幅された後、分配器５６へ送られる。分配器５６は、受取った信号を分配してデータ処理部１６と音声処理部２８へ送る。
【０００５】
同様に、アンテナ２４で受信した信号は、スイッチ５２の端子ＢからＬＮＡ５５に送られ、ＬＮＡ５５で増幅された後、分配器５７へ送られる。分配器５７は、受取った信号を分配してデータ処理部１６と音声処理部２８へ送る。
【０００６】
データ処理部１６は、２つの経路から受取った信号をＭＩＭＯ（Multiple Input Multiple Output）受信処理し、データを抽出する。音声処理部２８は、２つの経路から受取った信号をＭＩＭＯ受信処理し、音声を抽出する。
【０００７】
このような構成によって、データと音声とを同時にＭＩＭＯ受信することができる。
【先行技術文献】
【特許文献】
【０００８】
【特許文献１】特開２００４−２００８５３号公報
【発明の概要】
【発明が解決しようとする課題】
【０００９】
しかしながら、図１２のような従来の構成では、データのみをＭＩＭＯ受信する場合、音声のみをＭＩＭＯ受信する場合、データを単一アンテナ受信し、かつ音声を単一アンテナ受信する場合でも、常時ＬＮＡが動作して、消費電力がかかる。
【００１０】
それゆえに、本発明の目的は、消費電力を低減することができる無線通信装置を提供することである。
【課題を解決するための手段】
【００１１】
上記課題を解決するために、本発明の無線通信装置は、データおよび／または音声が含まれる無線信号を受信する第１のアンテナと、少なくとも第１〜第３の端子を有し、第１の端子が第１のアンテナと接続される第１のスイッチと、データおよび／または音声が含まれる無線信号を受信する第２のアンテナと、少なくとも第４〜第６の端子を有し、第４の端子が第２のアンテナと接続される第２のスイッチと、第７〜第９の端子を有し、第９の端子が第１のスイッチの第２の端子と接続される第３のスイッチと、第１のスイッチの第３の端子と接続される第１のローノイズアンプと、第１のローノイズアンプと接続され、第１のローノイズアンプから出力された信号を第１０の端子および第１１の端子から出力する第１の分配器と、第１２〜第１４の端子とを有し、第１２の端子が第３のスイッチの第７の端子と接続され、第１３の端子が第１の分配器の第１０の端子と接続される第４のスイッチと、第１５〜第１７の端子を有し、第１５の端子が第３のスイッチの第８の端子と接続され、第１６の端子が第１の分配器の第１１の端子と接続される第５のスイッチとを備える。
【００１２】
また、本発明の無線通信装置は、第１８〜第２０の端子を有し、第２０の端子が第２のスイッチの第５の端子と接続される第６のスイッチと、第２のスイッチの第６の端子と接続される第２のローノイズアンプと、第２のローノイズアンプと接続され、第２のローノイズアンプから出力された信号を第２１の端子および第２２の端子から出力する第２の分配器と、第２３〜第２５の端子とを有し、第２３の端子が第６のスイッチの第１８の端子と接続され、第２４の端子が第２の分配器の第２１の端子と接続される第７のスイッチと、第２６〜第２８の端子を有し、第２６の端子が第６のスイッチの第１９の端子と接続され、第２７の端子が第２の分配器の第２２の端子と接続される第８のスイッチとを備える。
【００１３】
また、本発明の無線通信装置は、第４のスイッチの第１４の端子および第８のスイッチの第２８の端子と接続されるデータ処理部と、第５のスイッチの第１７の端子および第７のスイッチの第２５の端子と接続される音声処理部と、第１〜第８のスイッチの各々の端子間の接続、および第１のローノイズアンプおよび第２のローノイズアンプの電源のオン／オフを制御する制御部とを備える。
【発明の効果】
【００１４】
本発明の無線通信装置によれば、消費電力を低減することができる。
【図面の簡単な説明】
【００１５】
【図１】本実施の形態の無線通信装置の構成を表わす図である。
【図２】第１の実施形態の無線通信処理部の構成を表わす図である。
【図３】各受信モードでのスイッチＳＷ１〜ＳＷ８の制御を表わす図である。
【図４】受信モードＡ１での信号の流れを表わす図である。
【図５】受信モードＡ２での信号の流れを表わす図である。
【図６】受信モードＢでの信号の流れを表わす図である。
【図７】受信モードＣでの信号の流れを表わす図である。
【図８】受信モードＤでの信号の流れを表わす図である。
【図９】受信モードＥでの信号の流れを表わす図である。
【図１０】受信モードＦでの信号の流れを表わす図である。
【図１１】第２の実施形態の無線通信処理部の構成を表わす図である。
【図１２】従来の無線通信装置の構成を表わす図である。
【発明を実施するための形態】
【００１６】
以下、本発明の実施形態について図面を参照して説明する。
［第１の実施形態］
図１は、本実施の形態の無線通信装置の構成を表わす図である。
【００１７】
図１に示すように、この無線通信装置は、複数のアンテナ１２，２４と、無線通信処理部６０と、制御部６２と、電力供給部６４とを備える。
【００１８】
無線通信処理部６０は、他の無線通信装置からの無線信号を受信して処理をする。無線通信処理部６０は、他の無線通信装置へ無線信号を送信する。図１の無線通信装置が、携帯電話の場合には、他の無線通信装置は、無線基地局でもよい。
【００１９】
無線通信処理部６０は、データを含む信号、音声を含む信号、およびデータと音声の両方を含む信号を受信する。本実施の形態では、一例として、データを含む信号は、ＬＴＥの方式に従って送信されてくるものとし、音声を含む信号は、ＣＤＭＡ方式に従って送信されてくるものとして説明するが、必ずしもこれらの通信方式に限定されるものではない。
【００２０】
無線通信処理部６０は、送信モードに設定されたときには、送信処理を行なう。
受信モードには、複数の種類があり、無線通信処理部６０は、設定された受信モードに応じて、受信処理を行なう。
【００２１】
制御部６２は、無線通信処理部６０での処理を制御する。
電力供給部６４は、バッテリで構成されており、無線通信処理部６０および制御部６２へ電力を供給する。
【００２２】
図２は、第１の実施形態の無線通信処理部の構成を表わす図である。
図２を参照して、無線通信処理部６０は、アンテナ１２，２４と、スイッチＳＷ７，ＳＷ８と、スイッチＳＷ１〜ＳＷ６と、ＰＡ（Power Amplifier）１４，２６と、ＬＮＡ１８，３０と、分配器２０，３２と、データ処理部１６と、音声処理部２８とを備える。
【００２３】
アンテナ１２は、データおよび／または音声が含まれる無線信号を送信し、または受信する。
【００２４】
アンテナ２４は、データおよび／または音声が含まれる無線信号を送信し、または受信する。
【００２５】
スイッチＳＷ７は、第１〜第４の端子を有する。スイッチＳＷ７の第１の端子は、アンテナ１２と接続される。
【００２６】
スイッチＳＷ１は、第１〜第３の端子を有する。第３の端子がスイッチＳＷ７の第２の端子と接続される。
【００２７】
スイッチＳＷ２は、第１〜第３の端子を有する。第１の端子がスイッチＳＷ１の第１の端子と接続され、第２の端子が分配器２０の第１の端子と接続される。
【００２８】
ＬＮＡ１８は、スイッチＳＷ７の第３の端子と接続される。
分配器２０は、ＬＮＡ１８と接続され、ＬＮＡ１８から出力された信号を第１の端子および第２の端子から出力する。
【００２９】
スイッチＳＷ３は、第１〜第３の端子を有する。第１の端子がスイッチＳＷ１の第２の端子と接続され、第２の端子が分配器２０の第２の端子と接続される。
【００３０】
スイッチＳＷ８は、第１〜第４の端子を有する。スイッチＳＷ８の第１の端子は、アンテナ２４と接続される。
【００３１】
スイッチＳＷ４は、第１〜第３の端子を有する。第３の端子がスイッチＳＷ８の第２の端子と接続される。
【００３２】
ＬＮＡ３０は、スイッチＳＷ８の第３の端子と接続される。
分配器３２は、ＬＮＡ３０と接続され、ＬＮＡ３０から出力された信号を第１の端子および第２の端子から出力する。
【００３３】
スイッチＳＷ５は、第１〜第３の端子とを有する。第１の端子がスイッチＳＷ４の第１の端子と接続され、第２の端子が分配器３２の第１の端子と接続される。
【００３４】
スイッチＳＷ６は、第１〜第３の端子を有する。第１の端子がスイッチＳＷ４の第２の端子と接続され、第２の端子が分配器３２の第２の端子と接続される。
【００３５】
ＰＡ１４の入力は、データ処理部１６に接続され、ＰＡ１４の出力は、スイッチＳＷ７の第４の端子と接続する。
【００３６】
ＰＡ２６の入力は、音声処理部２８に接続され、ＰＡ２６の出力は、スイッチＳＷ８の第４の端子と接続する。
【００３７】
データ処理部１６は、スイッチＳＷ２の第３の端子およびスイッチＳＷ６の第３の端子と接続される。データ処理部１６は、入力される信号からデータを抽出する。すなわち、データ処理部１６は、入力される信号をデジタル化、増幅、復号、ＬＴＥ方式のフレームの抽出などを行なって、データを抽出する。
【００３８】
データ処理部１６は、２つの経路から信号が入力された場合には、２つの信号をＭＩＭＯ受信処理する。ＭＩＭＯ受信処理には、ＺＦ(Zero-Forcing)、ＭＭＳＥ（Minimum Mean Square Error）、ＢＬＡＳＴ（Bell Laboratories Layered Space-Time）などのアルゴリズムが用いられる。
【００３９】
音声処理部２８は、スイッチＳＷ３の第３の端子およびスイッチＳＷ５の第３の端子と接続される。
【００４０】
音声処理部２８は、入力される信号から音声を抽出する。すなわち、音声処理部２８は、入力される信号をデジタル化、増幅、復号、逆拡散、ＣＤＭＡ方式のフレームの抽出などを行なって、音声を抽出する。音声処理は、２つの経路から信号が入力された場合には、２つの信号をＭＩＭＯ受信処理する。ＭＩＭＯ受信処理には、ＺＦ(Zero-Forcing)、ＭＭＳＥ（Minimum Mean Square Error）、ＢＬＡＳＴ（Bell Laboratories Layered Space-Time）などのアルゴリズムが用いられる。
【００４１】
制御部６２は、スイッチＳＷ１〜ＳＷ８の各々の端子間の接続、およびＬＮＡ１８およびＬＮＡ３０の電源のオン／オフを制御する。
【００４２】
図２の構成で、分配器２０，３２の前段にＬＮＡ１８，３０を設けているのは、分配器を使用した場合には、最低でも３ｄＢも信号の強度が減少するおそれがあるからである。一方、スイッチＳＷ１〜ＳＷ６の前段にＬＮＡが設けられていないのは、スイッチを使用しても、０．５〜１．０ｄＢしか信号の強度が減少しないからである。
【００４３】
図３は、各受信モードでのスイッチＳＷ１〜ＳＷ８の制御を表わす図である。
（受信モードＡ１）
受信モードＡ１では、データおよび音声をそれぞれ単独受信する。受信モードＡ１では、アンテナ１２で受信した信号に含まれるデータを抽出し、アンテナ２４で受信した信号に含まれる音声を抽出する。
【００４４】
受信モードＡ１では、スイッチＳＷ１の第１の端子、スイッチＳＷ２の第１の端子、スイッチＳＷ４の第１の端子、スイッチＳＷ５の第１の端子が選択される。また、スイッチＳＷ７の第２の端子、スイッチＳＷ８の第２の端子が選択される。
【００４５】
すなわち、受信モードＡ１において、制御部６２は、以下のようにスイッチＳＷ１、ＳＷ２、ＳＷ４、ＳＷ５、ＳＷ７、ＳＷ８を制御する。
【００４６】
制御部６２は、スイッチＳＷ７の第１の端子と第２の端子とを接続し、スイッチＳＷ１の第１の端子と第３の端子とを接続し、スイッチＳＷ２の第１の端子と第３の端子とを接続し、スイッチＳＷ８の第１の端子と第２の端子とを接続し、スイッチＳＷ４の第１の端子と第３の端子とを接続し、スイッチＳＷ５の第１の端子と第３の端子とを接続する。
【００４７】
また、制御部６２は、ＬＮＡ１８の電源をオフにし、かつＬＮＡ３０の電源をオフにする。
【００４８】
データ処理部１６は、スイッチＳＷ２の第３の端子から出力される信号に含まれるデータを抽出する。音声処理部２８は、スイッチＳＷ５の第３の端子から出力される信号に含まれる音声を抽出する。
【００４９】
（受信モードＡ２）
受信モードＡ２では、データおよび音声をそれぞれ単独受信する。受信モードＡ２では、アンテナ１２で受信した信号に含まれる音声を抽出し、アンテナ２４で受信した信号に含まれるデータを抽出する。
【００５０】
受信モードＡ２では、スイッチＳＷ１の第２の端子、スイッチＳＷ３の第１の端子、スイッチＳＷ４の第２の端子、スイッチＳＷ６の第１の端子が選択される。また、スイッチＳＷ７の第２の端子、スイッチＳＷ８の第２の端子が選択される。
【００５１】
すなわち、受信モードＡ２において、制御部６２は、以下のようにスイッチＳＷ１、ＳＷ３、ＳＷ４、ＳＷ６、ＳＷ７、ＳＷ８を制御する。
【００５２】
制御部６２は、スイッチＳＷ７の第１の端子と第２の端子とを接続し、スイッチＳＷ１の第２の端子と第３の端子とを接続し、スイッチＳＷ３の第１の端子と第３の端子とを接続し、スイッチＳＷ８の第１の端子と第２の端子とを接続し、スイッチＳＷ４の第２の端子と第３の端子とを接続し、スイッチＳＷ６の第１の端子と第３の端子とを接続する。
【００５３】
また、制御部６２は、ＬＮＡ１８の電源をオフにし、かつＬＮＡ３０の電源をオフにする。
【００５４】
データ処理部１６は、スイッチＳＷ６の第３の端子から出力される信号に含まれるデータを抽出する。音声処理部２８は、スイッチＳＷ３の第３の端子から出力される信号に含まれる音声を抽出する。
【００５５】
(受信モードＢ）
受信モードＢでは、データをＭＩＭＯ受信する。すなわち、受信モードＢでは、アンテナ１２で受信した信号に含まれるデータを抽出し、アンテナ２４で受信した信号に含まれるデータを抽出して、ＭＩＭＯ受信処理をする。
【００５６】
受信モードＢでは、スイッチＳＷ１の第１の端子、スイッチＳＷ２の第１の端子、スイッチＳＷ４の第２の端子、スイッチＳＷ６の第１の端子が選択される。また、スイッチＳＷ７の第２の端子、スイッチＳＷ８の第２の端子が選択される。
【００５７】
すなわち、受信モードＢにおいて、制御部６２は、以下のようにスイッチＳＷ１、ＳＷ２、ＳＷ４、ＳＷ６、ＳＷ７、ＳＷ８を制御する。
【００５８】
制御部６２は、スイッチＳＷ７の第１の端子と第２の端子とを接続し、スイッチＳＷ１の第１の端子と第３の端子とを接続し、スイッチＳＷ２の第１の端子と第３の端子とを接続し、スイッチＳＷ８の第１の端子と第２の端子とを接続し、スイッチＳＷ４の第２の端子と第３の端子とを接続し、スイッチＳＷ６の第１の端子と第３の端子とを接続する。
【００５９】
また、制御部６２は、ＬＮＡ１８の電源をオフにし、かつＬＮＡ３０の電源をオフにする。
【００６０】
データ処理部１６は、スイッチＳＷ２の第３の端子から出力される信号とスイッチＳＷ６の第３の端子から出力される信号をＭＩＭＯ受信処理して、ＭＩＭＯ受信処理して得られた信号からデータを抽出する。
【００６１】
（受信モードＣ）
受信モードＣでは、音声をＭＩＭＯ受信する。すなわち、受信モードＣでは、アンテナ１２で受信した信号に含まれる音声を抽出し、アンテナ２４で受信した信号に含まれる音声を抽出して、ＭＩＭＯ受信処理をする。
【００６２】
受信モードＣでは、スイッチＳＷ１の第２の端子、スイッチＳＷ３の第１の端子が、スイッチＳＷ４の第１の端子、スイッチＳＷ５の第１の端子が選択される。また、スイッチＳＷ７の第２の端子、スイッチＳＷ８の第２の端子が選択される。
【００６３】
すなわち、受信モードＣにおいて、制御部６２は、以下のようにスイッチＳＷ１、ＳＷ３、ＳＷ４、ＳＷ５、ＳＷ７、ＳＷ８を制御する。
【００６４】
制御部６２は、スイッチＳＷ７の第１の端子と第２の端子とを接続し、スイッチＳＷ１の第２の端子と第３の端子とを接続し、スイッチＳＷ３の第１の端子と第３の端子とを接続し、スイッチＳＷ８の第１の端子と第２の端子とを接続し、スイッチＳＷ４の第１の端子と第３の端子とを接続し、スイッチＳＷ５の第１の端子と第３の端子とを接続する。
【００６５】
また、制御部６２は、ＬＮＡ１８の電源をオフにし、かつＬＮＡ３０の電源をオフにする。
【００６６】
音声処理部２８は、スイッチＳＷ３の第３の端子から出力される信号とスイッチＳＷ５の第３の端子から出力される信号をＭＩＭＯ受信処理して、ＭＩＭＯ受信処理して得られた信号から音声を抽出する。
【００６７】
（受信モードＤ）
受信モードＤでは、データをＭＩＭＯ受信し、音声を単独受信する。すなわち、受信モードＤでは、アンテナ１２で受信した信号に含まれるデータを抽出し、アンテナ２４で受信した信号に含まれるデータを抽出して、ＭＩＭＯ受信処理をするとともに、アンテナ２４で受信した信号に含まれる音声を抽出する。
【００６８】
受信モードＤでは、スイッチＳＷ１の第１の端子、スイッチＳＷ２の第１の端子、スイッチＳＷ５の第２の端子、スイッチＳＷ６の第２の端子が選択される。また、スイッチＳＷ７の第２の端子、スイッチＳＷ８の第３の端子が選択される。
【００６９】
すなわち、受信モードＤにおいて、制御部６２は、以下のようにスイッチＳＷ１、ＳＷ２、ＳＷ５、ＳＷ６、ＳＷ７、ＳＷ８を制御する。
【００７０】
制御部６２は、スイッチＳＷ７の第１の端子と第２の端子とを接続し、スイッチＳＷ１の第１の端子と第３の端子とを接続し、スイッチＳＷ２の第１の端子と第３の端子とを接続し、スイッチＳＷ８の第１の端子と第３の端子とを接続し、スイッチＳＷ５の第２の端子と第３の端子とを接続し、スイッチＳＷ６の第２の端子と第３の端子とを接続する。
【００７１】
また、制御部６２は、ＬＮＡ１８の電源をオフにし、かつＬＮＡ３０の電源をオンにする。
【００７２】
音声処理部２８は、スイッチＳＷ５の第３の端子から出力される信号に含まれる音声を抽出する。データ処理部１６は、スイッチＳＷ２の第３の端子から出力される信号とスイッチＳＷ６の第３の端子から出力される信号をＭＩＭＯ受信処理して、ＭＩＭＯ受信処理して得られた信号からデータを抽出する。
【００７３】
（受信モードＥ）
受信モードＥでは、データを単独受信し、音声をＭＩＭＯ受信する。すなわち、受信モードＥでは、アンテナ１２で受信した信号に含まれる音声を抽出し、アンテナ２４で受信した信号に含まれる音声を抽出して、ＭＩＭＯ受信処理をするとともに、アンテナ１２で受信した信号に含まれるデータを抽出する。
【００７４】
受信モードＥでは、スイッチＳＷ２の第２の端子、スイッチＳＷ３の第２の端子、スイッチＳＷ４の第１の端子、スイッチＳＷ５の第１の端子が選択される。また、スイッチＳＷ７の第３の端子、スイッチＳＷ８の第２の端子が選択される。
【００７５】
すなわち、受信モードＥにおいて、制御部６２は、以下のようにスイッチＳＷ２、ＳＷ３、ＳＷ４、ＳＷ５、ＳＷ７、ＳＷ８を制御する。
【００７６】
制御部６２は、スイッチＳＷ７の第１の端子と第３の端子とを接続し、スイッチＳＷ２の第２の端子と第３の端子とを接続し、スイッチＳＷ３の第２の端子と第３の端子とを接続し、スイッチＳＷ８の第１の端子と第２の端子とを接続し、スイッチＳＷ４の第１の端子と第３の端子とを接続し、スイッチＳＷ５の第１の端子と第３の端子とを接続する。
【００７７】
また、制御部６２は、ＬＮＡ１８の電源をオンにし、かつＬＮＡ３０の電源をオフにする。
【００７８】
データ処理部１６は、スイッチＳＷ２の第３の端子から出力される信号に含まれるデータを抽出する。音声処理部２８は、スイッチＳＷ３の第３の端子から出力される信号とスイッチＳＷ５の第３の端子から出力される信号をＭＩＭＯ受信処理して、ＭＩＭＯ受信処理して得られた信号から音声を抽出する。
【００７９】
（受信モードＦ）
受信モードＦでは、データをＭＩＭＯ受信し、音声をＭＩＭＯ受信する。すなわち、受信モードＦでは、アンテナ１２で受信した信号に含まれるデータを抽出し、アンテナ２４で受信した信号に含まれるデータを抽出して、ＭＩＭＯ受信処理をするとともに、アンテナ１２で受信した信号に含まれる音声を抽出し、アンテナ２４で受信した信号に含まれる音声を抽出して、ＭＩＭＯ受信処理をする。
【００８０】
受信モードＦでは、スイッチＳＷ２の第２の端子、スイッチＳＷ３の第２の端子、スイッチＳＷ５の第２の端子、スイッチＳＷ６の第２の端子が選択される。また、スイッチＳＷ７の第３の端子、スイッチＳＷ８の第３の端子が選択される。
【００８１】
すなわち、受信モードＦにおいて、制御部６２は、以下のようにスイッチＳＷ２、ＳＷ３、ＳＷ５、ＳＷ６、ＳＷ７、ＳＷ８を制御する。
【００８２】
制御部６２は、スイッチＳＷ７の第１の端子と第３の端子とを接続し、スイッチＳＷ２の第２の端子と第３の端子とを接続し、スイッチＳＷ３の第２の端子と第３の端子とを接続し、スイッチＳＷ８の第１の端子と第３の端子とを接続し、スイッチＳＷ５の第２の端子と第３の端子とを接続し、スイッチＳＷ６の第２の端子と第３の端子とを接続する。
【００８３】
また、制御部６２は、ＬＮＡ１８の電源をオンにし、かつＬＮＡ３０の電源をオンにする。
【００８４】
データ処理部１６は、スイッチＳＷ２の第３の端子から出力される信号とスイッチＳＷ６の第３の端子から出力される信号をＭＩＭＯ受信処理して、ＭＩＭＯ受信処理して得られた信号からデータを抽出する。
【００８５】
音声処理部２８は、スイッチＳＷ３の第３の端子から出力される信号とスイッチＳＷ５の第３の端子から出力される信号をＭＩＭＯ受信処理して、ＭＩＭＯ受信処理して得られた信号から音声を抽出する。
【００８６】
（送信モード）
送信モードでは、データおよび音声をそれぞれ単独送信する。
【００８７】
送信モードでは、スイッチＳＷ７の第４の端子、スイッチＳＷ８の第４の端子が選択される。
【００８８】
すなわち、送信モードにおいて、制御部６２は、以下のようにＳＷ７、ＳＷ８を制御する。
【００８９】
制御部６２は、スイッチＳＷ７の第１の端子と第４の端子とを接続し、スイッチＳＷ８の第１の端子と第４の端子とを接続する。
【００９０】
また、制御部６２は、ＬＮＡ１８の電源をオフにし、かつＬＮＡ３０の電源をオフにする。
【００９１】
ＰＡ１４は、データ処理部１６から出力されるデータを含む信号を増幅して、スイッチＳＷ７の第４の端子へ送る。第４の端子に入力された信号は、第１の端子からアンテナ１２へ送られて、送信される。
【００９２】
ＰＡ２６は、音声処理部２８から出力される音声を含む信号を増幅して、スイッチＳＷ８の第４の端子へ送る。第４の端子に入力された信号は、第１の端子からアンテナ２４へ送られて、送信される。
【００９３】
制御部６２は、電池残量が所定値以下となった場合には、受信モードＤ、Ｅ、Ｆで動作していても、強制的に受信モードＤ、Ｅ、Ｆ以外の受信モードで受信するように制御するようにしてもよい。
【００９４】
次に、各受信モードでの信号の流れについて説明する。
（受信モードＡ１）
図４は、受信モードＡ１での信号の流れを表わす図である。
【００９５】
図４に示すように、受信モードＡ１では、アンテナ１２で受信した信号αは、スイッチＳＷ７の第１の端子へ送られて、スイッチＳＷ７の第２の端子から出力される。その後、信号αは、スイッチＳＷ１の第３の端子へ送られる。その後、信号αは、スイッチＳＷ１の第１の端子から出力し、スイッチＳＷ２の第１の端子へ送られる。スイッチＳＷ２の第３の端子から出力された信号αは、データ処理部１６へ送られる。
【００９６】
また、受信モードＡ１では、アンテナ２４で受信した信号βは、スイッチＳＷ８の第１の端子へ送られて、スイッチＳＷ８の第２の端子から出力される。その後、信号βは、スイッチＳＷ４の第３の端子へ送られる。その後、信号βは、スイッチＳＷ４の第１の端子から出力し、スイッチＳＷ５の第１の端子へ送られる。スイッチＳＷ５の第３の端子から出力された信号βは、音声処理部２８へ送られる。
【００９７】
（受信モードＡ２）
図５は、受信モードＡ２での信号の流れを表わす図である。
【００９８】
図５に示すように、受信モードＡ２では、アンテナ１２で受信した信号αは、スイッチＳＷ７の第１の端子へ送られて、スイッチＳＷ７の第２の端子から出力される。その後、信号αは、スイッチＳＷ１の第３の端子へ送られる。その後、信号αは、スイッチＳＷ１の第２の端子から出力し、スイッチＳＷ３の第１の端子へ送られる。スイッチＳＷ３の第３の端子から出力された信号αは、音声処理部２８へ送られる。
【００９９】
また、受信モードＡ２では、アンテナ２４で受信した信号βは、スイッチＳＷ８の第１の端子へ送られて、スイッチＳＷ８の第２の端子から出力される。その後、信号βは、スイッチＳＷ４の第３の端子へ送られる。その後、信号βは、スイッチＳＷ４の第１の端子から出力し、スイッチＳＷ６の第１の端子へ送られる。スイッチＳＷ６の第３の端子から出力された信号βは、データ処理部１６へ送られる。
【０１００】
（受信モードＢ）
図６は、受信モードＢでの信号の流れを表わす図である。
【０１０１】
図６に示すように、受信モードＢでは、アンテナ１２で受信した信号αは、スイッチＳＷ７の第１の端子へ送られて、スイッチＳＷ７の第２の端子から出力される。その後、信号αは、スイッチＳＷ１の第３の端子へ送られる。その後、信号αは、スイッチＳＷ１の第１の端子から出力し、スイッチＳＷ２の第１の端子へ送られる。スイッチＳＷ２の第３の端子から出力された信号αは、データ処理部１６へ送られる。
【０１０２】
また、受信モードＢでは、アンテナ２４で受信した信号βは、スイッチＳＷ８の第１の端子へ送られて、スイッチＳＷ８の第２の端子から出力される。その後、信号βは、スイッチＳＷ４の第３の端子へ送られる。その後、信号βは、スイッチＳＷ４の第２の端子から出力し、スイッチＳＷ６の第１の端子へ送られる。スイッチＳＷ６の第３の端子から出力された信号βは、データ処理部１６へ送られる。
【０１０３】
（受信モードＣ）
図７は、受信モードＣでの信号の流れを表わす図である。
【０１０４】
図７に示すように、受信モードＣでは、アンテナ１２で受信した信号αは、スイッチＳＷ７の第１の端子へ送られて、スイッチＳＷ７の第２の端子から出力される。その後、信号αは、スイッチＳＷ１の第３の端子へ送られる。その後、信号αは、スイッチＳＷ１の第２の端子から出力し、スイッチＳＷ３の第１の端子へ送られる。スイッチＳＷ３の第３の端子から出力された信号αは、音声処理部２８へ送られる。
【０１０５】
また、受信モードＣでは、アンテナ２４で受信した信号βは、スイッチＳＷ８の第１の端子へ送られて、スイッチＳＷ８の第２の端子から出力される。その後、信号βは、スイッチＳＷ４の第３の端子へ送られる。その後、信号βは、スイッチＳＷ４の第１の端子から出力し、スイッチＳＷ５の第１の端子へ送られる。スイッチＳＷ５の第３の端子から出力された信号βは、音声処理部２８へ送られる。
【０１０６】
（受信モードＤ）
図８は、受信モードＤでの信号の流れを表わす図である。
【０１０７】
図８に示すように、受信モードＤでは、アンテナ１２で受信した信号αは、スイッチＳＷ７の第１の端子へ送られて、スイッチＳＷ７の第２の端子から出力される。その後、信号αは、スイッチＳＷ１の第３の端子へ送られる。その後、信号αは、スイッチＳＷ１の第１の端子から出力し、スイッチＳＷ２の第１の端子へ送られる。スイッチＳＷ２の第３の端子から出力された信号αは、データ処理部１６へ送られる。
【０１０８】
また、受信モードＤでは、アンテナ２４で受信した信号βは、スイッチＳＷ８の第１の端子へ送られて、スイッチＳＷ８の第３の端子から出力される。その後、信号βは、ＬＮＡ３０で増幅され、分配器３２に送られる。分配器３２は、信号βをスイッチＳＷ５の第２の端子へ送るとともに、スイッチＳＷ６の第２の端子に送る。スイッチＳＷ５の第３の端子は、信号βを音声処理部２８へ送る。スイッチＳＷ６の第３の端子は、信号βをデータ処理部１６へ送る。
【０１０９】
（受信モードＥ）
図９は、受信モードＥでの信号の流れを表わす図である。
【０１１０】
図９に示すように、受信モードＥでは、アンテナ１２で受信した信号αは、スイッチＳＷ７の第１の端子へ送られて、スイッチＳＷ７の第３の端子から出力される。その後、信号αは、ＬＮＡ１８で増幅され、分配器２０に送られる。分配器２０は、信号αをスイッチＳＷ２の第２の端子へ送るとともに、スイッチＳＷ３の第２の端子に送る。スイッチＳＷ２の第３の端子は、信号αをデータ処理部１６へ送る。スイッチＳＷ３の第３の端子は、信号αを音声処理部２８へ送る。
【０１１１】
また、受信モードＥでは、アンテナ２４で受信した信号βは、スイッチＳＷ８の第１の端子へ送られて、スイッチＳＷ８の第２の端子から出力される。その後、信号βは、スイッチＳＷ４の第１の端子から出力し、スイッチＳＷ５の第１の端子へ送られる。スイッチＳＷ５の第３の端子から出力された信号βは、データ処理部１６へ送られる。
【０１１２】
（受信モードＦ）
図１０は、受信モードＦでの信号の流れを表わす図である。
【０１１３】
図１０に示すように、受信モードＦでは、アンテナ１２で受信した信号αは、スイッチＳＷ７の第１の端子へ送られて、スイッチＳＷ７の第３の端子から出力される。その後、信号αは、ＬＮＡ１８で増幅され、分配器２０に送られる。分配器２０は、信号αをスイッチＳＷ２の第２の端子へ送るとともに、スイッチＳＷ３の第２の端子に送る。スイッチＳＷ２の第３の端子は、信号αをデータ処理部１６へ送る。スイッチＳＷ３の第３の端子は、信号αを音声処理部２８へ送る。
【０１１４】
また、受信モードＦでは、アンテナ２４で受信した信号βは、スイッチＳＷ８の第１の端子へ送られて、スイッチＳＷ８の第３の端子から出力される。その後、信号βは、ＬＮＡ３０で増幅され、分配器３２に送られる。分配器３２は、信号βをスイッチＳＷ５の第２の端子へ送るとともに、スイッチＳＷ６の第２の端子に送る。スイッチＳＷ５の第３の端子は、信号βを音声処理部２８へ送る。スイッチＳＷ６の第３の端子は、信号βをデータ処理部１６へ送る。
【０１１５】
以上のように、本実施の形態によれば、データのみをＭＩＭＯ受信する場合（受信モードＢ）、音声のみをＭＩＭＯ受信する場合（受信モードＣ）、およびデータを単一アンテナ受信し、かつ音声を単一アンテナ受信する場合（受信モードＡ１，Ａ２）において、２つのＬＮＡに信号が流れないので、２つのＬＮＡの電源をオフにすることができる。また、データをＭＩＭＯ受信し、音声を単独受信する場合（受信モードＤ）、および音声をＭＩＭＯ受信し、データを単独受信する場合（受信モードＥ）において、１つのＬＮＡには信号が流れないので、１つのＬＮＡの電源をオフにすることができる。したがって、本実施の形態の受信モードＡ１、Ａ２、Ｂ、Ｃ、Ｄ、Ｅでは、２つのＬＮＡの電源をオンにしておく場合と比べて、消費電力を低減することができる。
【０１１６】
［第２の実施形態］
図１１は、第２の実施形態の無線通信処理部の構成を表わす図である。
【０１１７】
図１１を参照して、無線通信処理部７０は、アンテナ１２，２４と、スイッチＳＷ９，ＳＷ１０と、スイッチＳＷ１〜ＳＷ４と、ＰＡ１４，２６と、ＬＮＡ１８，３０と、分配器２０，３２と、データ処理部１６と、音声処理部２８とを備える。
【０１１８】
アンテナ１２は、データおよび／または音声が含まれる無線信号を送信し、または受信する。
【０１１９】
アンテナ２４は、データおよび／または音声が含まれる無線信号を送信し、または受信する。
【０１２０】
スイッチＳＷ９は、第１〜第５の端子を有する。スイッチＳＷ９の第１の端子は、アンテナ１２と接続される。
【０１２１】
ＬＮＡ１８は、スイッチＳＷ９の第２の端子と接続される。
分配器２０は、ＬＮＡ１８と接続され、ＬＮＡ１８から出力された信号を第１の端子および第２の端子から出力する。
【０１２２】
スイッチＳＷ２は、第１〜第３の端子を有する。第１の端子がスイッチＳＷ９の第３の端子と接続され、第２の端子が分配器２０の第１の端子と接続される。
【０１２３】
スイッチＳＷ３は、第１〜第３の端子を有する。第１の端子がスイッチＳＷ９の第４の端子と接続され、第２の端子が分配器２０の第２の端子と接続される。
【０１２４】
スイッチＳＷ１０は、第１〜第５の端子を有する。スイッチＳＷ１０の第１の端子は、アンテナ２４と接続される。
【０１２５】
ＬＮＡ３０は、スイッチＳＷ１０の第２の端子と接続される。
分配器３２は、ＬＮＡ３０と接続され、ＬＮＡ３０から出力された信号を第１の端子および第２の端子から出力する。
【０１２６】
スイッチＳＷ５は、第１〜第３の端子を有する。第１の端子がスイッチＳＷ１０の第３の端子と接続され、第２の端子が分配器３２の第１の端子と接続される。
【０１２７】
スイッチＳＷ６は、第１〜第３の端子を有する。第１の端子がスイッチＳＷ１０の第４の端子と接続され、第２の端子が分配器３２の第２の端子と接続される。
【０１２８】
ＰＡ１４の入力は、データ処理部１６に接続され、ＰＡ１４の出力は、スイッチＳＷ９の第５の端子と接続する。
【０１２９】
ＰＡ２６の入力は、音声処理部２８に接続され、ＰＡ２６の出力は、スイッチＳＷ１０の第５の端子と接続する。
【０１３０】
データ処理部１６は、スイッチＳＷ２の第３の端子およびスイッチＳＷ６の第３の端子と接続される。
【０１３１】
音声処理部２８は、スイッチＳＷ３の第３の端子およびスイッチＳＷ５の第３の端子と接続される。
【０１３２】
制御部６２は、スイッチＳＷ１〜ＳＷ８の各々の端子間の接続、およびＬＮＡ１８およびＬＮＡ３０の電源のオン／オフを制御する。
【０１３３】
第２の実施形態のモードおよびスイッチの制御は、第１の実施形態に準じる。
第１の実施形態において、スイッチＳＷ７→スイッチＳＷ１→スイッチＳＷ２の経路で信号を流す場合と、第２の実施形態において、スイッチＳＷ９→スイッチＳＷ２の経路で信号を流す場合とが等価である。
【０１３４】
第１の実施形態において、スイッチＳＷ７→スイッチＳＷ１→スイッチＳＷ３の経路で信号を流す場合と、第２の実施形態において、スイッチＳＷ９→スイッチＳＷ３の経路で信号を流す場合とが等価である。
【０１３５】
以上のように、本実施の形態によれば、第１の実施形態と同様に、データのみをＭＩＭＯ受信する場合（受信モードＢ）、音声のみをＭＩＭＯ受信する場合（受信モードＣ）、またはデータを単一アンテナ受信し、かつ音声を単一アンテナ受信する場合（受信モードＡ１，Ａ２）において、ＬＮＡに信号が流れないので、ＬＮＡの電源をオフにすることができる。これによって消費電力を低減することができる。
【０１３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３７】
１２，２４  アンテナ、１６  データ処理部、１８  音声処理部、１４，２６  ＰＡ、１８，３０，５４，５５  ＬＮＡ、２０，３２，５６，５７  分配器、６０，７０，８０  無線通信処理部、６２  制御部、６４  電力供給部、５０，５２，ＳＷ１〜ＳＷ１０  スイッチ。
【図１】
2013074521.tif 000003
【図２】
2013074521.tif 000004
【図３】
2013074521.tif 000005
【図４】
2013074521.tif 000006
【図５】
2013074521.tif 000007
【図６】
2013074521.tif 000008
【図７】
2013074521.tif 000009
【図８】
2013074521.tif 000010
【図９】
2013074521.tif 000011
【図１０】
2013074521.tif 000012
【図１１】
2013074521.tif 000013
【図１２】
2013074521.tif 000014